(57)【要約】【課題】配管用キャップが、より径の大きいサイズの配管の内部に入り込むことを防止又は抑制する。【解決手段】突出部１６は、筒状のキャップ本体１２の端部から径方向外側へ突出している。配管の挿入方向と直交する平面に投影されるキャップ本体１２及び突出部１６の最長直線長さＬ１は、配管Ｐの内径Ｒ１と内径Ｒ１の１／４との和以上（内径Ｒ１×１．２５以上）となるように設定されている。【選択図】図１
0003204153.tif 000002
【実用新案登録請求の範囲】
【請求項１】
配管の開口端部が挿入される円形の挿入口を有する筒状のキャップ本体と、
前記キャップ本体の前記挿入口と反対側で前記開口端部を閉鎖する閉鎖部と、
前記キャップ本体を前記配管の挿入方向から見て、前記挿入口よりも径方向外側へ突出した突出部と、
を有し、
前記配管の挿入方向と直交する平面に投影される前記キャップ本体及び前記突出部の最長直線長さが、前記配管の内径と前記配管の内径の１／４との和以上となる、配管用キャップ。
【請求項２】
前記突出部は前記配管の挿入方向から見て前記挿入口の中心を通る仮想線の延長上に沿って延出されるように前記キャップ本体の外周から突出されている、請求項１に記載の配管用キャップ。
【請求項３】
前記突出部は、前記キャップ本体の外周の前記挿入口の中心を挟んで対向する２カ所に形成されている、請求項２に記載の配管用キャップ。
【請求項４】
前記突出部は、前記キャップ本体の前記挿入口側の一端部に形成されている、請求項１〜請求項３のいずれか１項に記載の配管用キャップ。
【請求項５】
前記突出部は、前記キャップ本体の前記挿入口と反対側の他端部に形成されている、請求項４に記載の配管用キャップ。
【請求項６】
前記突出部の内部は中空とされ、前記中空により前記配管が挿入される挿入延長空間が形成されている、ことを特徴とする、請求項５に記載の配管用キャップ。
【請求項７】
前記突出部は、前記配管の挿入方向からみて、前記挿入口よりも大径の円形状である、ことを特徴とする、請求項１〜請求項６のいずれか１項に記載の配管用キャップ。
【請求項８】
前記キャップ本体は湾曲状とされ、前記キャップ本体の少なくとも一部が前記突出部を兼ねている、ことを特徴とする、請求項１に記載の配管用キャップ。
【請求項９】
前記キャップ本体は、前記配管の挿入により前記配管に沿った形状に変形すること、を特徴とする、請求項８に記載の配管用キャップ。
【請求項１０】
請求項１〜９のいずれか１項の配管用キャップと、
開口端部が前記配管用キャップの前記挿入口に挿入されて閉鎖された配管と、
を備えた配管セット。
【考案の詳細な説明】
【技術分野】
【０００１】
本考案は配管の開口端部に取り付けて該開口端部を閉鎖する配管用キャップ及び配管セットに関する。
【背景技術】
【０００２】
様々な配管を保管したり、配設後に搬送したりする際には、配管内に外部からの異物が入り込まないようにする必要がある。例えば、特許文献１、２には、配管の端部に取り付けて開口端部を閉鎖するキャップが開示されている。これらのキャップにより、配管内への異物の侵入を防止することができる。
【０００３】
ところで、配管の径は用途等によって異なり、配管用キャップのサイズも配管の径に対応したものとされる。そうすると、外径の小さい配管用のキャップは、例えば、配管の保管場所や配設場所において、内径の大きい配管内に誤って入り込む可能性がある。
【先行技術文献】
【特許文献】
【０００４】
【特許文献１】特開２０１１−０３８５９７号公報
【特許文献２】特開２０１２−１５９１５１号公報
【考案の概要】
【考案が解決しようとする課題】
【０００５】
本考案は上記事実を考慮して成されたもので、配管用キャップが、対応サイズの配管よりも径の大きいサイズの配管の内部に入り込むことを防止又は抑制可能な配管用キャップ及び該配管用キャップを備えた配管セットを得ることが目的である。
【課題を解決するための手段】
【０００６】
請求項１記載の考案に係る配管用キャップは、配管の開口端部が挿入される円形の挿入口を有する筒状のキャップ本体と、前記キャップ本体の前記挿入口と反対側で前記開口端部を閉鎖する閉鎖部と、前記キャップ本体を前記配管の挿入方向から見て、前記挿入口よりも径方向外側へ突出した突出部と、を有し、前記配管の挿入方向と直交する平面に投影される前記キャップ本体及び前記突出部の最長直線長さが、前記配管の内径と前記配管の内径の１／４との和以上となるものである。
【０００７】
請求項１記載の本考案に係る配管用キャップは、キャップ本体、閉鎖部、及び突出部を有している。キャップ本体は、配管の開口端部を挿入する円形の挿入口を有し、筒状とされている。閉鎖部は、キャップ本体の挿入口と反対側で配管の開口端部を閉鎖する。閉鎖部により、配管内への外部からの異物の侵入を防止することができる。
【０００８】
突出部は、キャップ本体を配管の挿入方向から見て、挿入口よりも径方向外側へ突出している。そして、配管の挿入方向と直交する平面に投影されるキャップ本体及び突出部の最長直線長さが、配管の内径と配管の内径の１／４との和以上となっている。すなわち、キャップ本体から径方向外側に突出部が突出されて、挿入方向から見て、配管の内径×１．２５以上の長さ部分が形成される。したがって、当該配管用キャップで開口端部を閉鎖される配管の径よりも大きい配管であっても、内径が当該配管用キャップ用の配管の内径×１．２５未満の配管であれば、突出部が配管の開口部分に引っ掛かり、配管用キャップの配管内への侵入を阻止することができる。また、内径が当該配管用キャップ用の配管の内径×１．２５以上の配管であっても、突出部により配管の開口部分から配管内への配管用キャップの安易な侵入を抑制することができる。
【０００９】
請求項２記載の本考案に係る配管用キャップは、前記突出部は前記配管の挿入方向から見て前記挿入口の中心を通る仮想線の延長上に沿って延出されるように前記キャップ本体の外周から突出されている。
【００１０】
請求項２の考案に係る配管用キャップによれば、突出部の延出方向が挿入口の中心を通る仮想線の延長上に沿っているので、突出部の突出長さを挿入口の外径の１／４以上とすることにより、前述の最長直線長さを確保することができる。
【００１１】
請求項３記載の本考案に係る配管用キャップは、前記突出部は、前記キャップ本体の外周の前記挿入口の中心を挟んで対向する２カ所に形成されている。
【００１２】
請求項３の考案に係る配管用キャップによれば、突出部が挿入口の中心を挟んで対向する２カ所に形成されているので、１つの突出部の突出長さを短くしつつ、前述の最長直線長さを確保することができる。
【００１３】
請求項４記載の本考案に係る配管用キャップは、前記突出部は、前記キャップ本体の前記挿入口側の一端部に形成されている。
【００１４】
請求項４の考案に係る配管用キャップによれば、挿入口側の一端部に突出部が形成されているので、配管の開口端部を挿入口へ挿入する際にキャップ本体が配管の内側へ入り込み難くなり、配管の挿入を容易に行うことができる。
【００１５】
請求項５記載の本考案に係る配管用キャップは、前記突出部は、前記キャップ本体の前記挿入口と反対側の他端部に形成されている。
【００１６】
請求項５の考案に係る配管用キャップによれば、挿入口側の一端部に突出部を形成する必要がなく、配管と配管用キャップとの間にテープ等の補助用具を容易に取り付けることができる。
【００１７】
請求項６記載の本考案に係る配管用キャップは、前記突出部の内部は中空とされ、前記中空により前記配管が挿入される挿入延長空間が形成されている、ことを特徴とする。
【００１８】
請求項６の考案に係る配管用キャップによれば、中空とされた挿入延長空間が形成されているので、配管の開口端部を挿入延長空間まで挿入させることができる。これにより、配管用キャップの、配管に取り付けられた状態における、配管軸方向の突出長さを短くすることができる。
【００１９】
請求項７記載の本考案に係る配管用キャップは、前記突出部は、前記配管の挿入方向からみて、前記挿入口よりも大径の円形状であることを特徴とする。
【００２０】
請求項７の考案に係る配管用キャップによれば、容易に突出部を形成することができる。
【００２１】
請求項８記載の本考案に係る配管用キャップは、前記キャップ本体は湾曲状とされ、前記キャップ本体の少なくとも一部が前記突出部を兼ねている、ことを特徴とする。
【００２２】
請求項８の考案に係る配管用キャップによれば、キャップ本体を湾曲状とすることにより、容易に突出部を形成することができる。
【００２３】
請求項９記載の本考案に係る配管用キャップは、請求項８の考案に係る配管用キャップにおいて、前記キャップ本体部が、前記配管の挿入により前記配管に沿った形状に変形すること、を特徴とする。
【００２４】
請求項９の考案に係る配管用キャップによれば、配管の挿入により、キャップ本体が配管に沿った形状に変形するので、配管に取り付けられた状態での突出部分を少なくすることができる。
【００２５】
請求項１０記載の本考案に係る配管用セットは、請求項１〜９のいずれか１項の配管用キャップと、開口端部が前記配管用キャップの前記挿入口に挿入されて閉鎖された配管と、を備えている。
【００２６】
請求項１０記載の本考案に係る配管用セットによれば、配管の開口端部が配管用キャップで閉鎖されているので、配管内への異物の侵入を防止することができる。また、配管用キャップのキャップ本体から径方向外側に突出部が突出されているので、取り外された状態の配管用キャップが該配管よりも内径の大きい配管内に入ることを防止又は抑制することができる。
【考案の効果】
【００２７】
本考案によれば、当該配管用キャップが、他の径の配管の内部に入り込むことを抑制することができる。
【図面の簡単な説明】
【００２８】
【図１】第１実施形態に係る配管用キャップの（Ａ）は斜視図、（Ｂ）は正面図、（Ｃ）は側断面図、である。
【図２】第２実施形態に係る配管用キャップの（Ａ）は斜視図、（Ｂ）は正面図、（Ｃ）は側断面図、である。
【図３】第３実施形態に係る配管用キャップの（Ａ）は斜視図、（Ｂ）は正面図、（Ｃ）は側断面図、である。
【図４】第３実施形態の変形例に係る配管用キャップの（Ａ）は斜視図、（Ｂ）は正面図、（Ｃ）は側断面図、である。
【図５】第３実施形態の他の変形例に係る配管用キャップの（Ａ）は斜視図、（Ｂ）は正面図、（Ｃ）は側断面図、である。
【図６】第３実施形態の他の変形例に係る配管用キャップの（Ａ）は斜視図、（Ｂ）は正面図、（Ｃ）は側断面図、である。
【図７】第４実施形態に係る配管用キャップの（Ａ）は斜視図、（Ｂ）は正面図、（Ｃ）は側断面図、である。
【図８】第４実施形態の変形例に係る配管用キャップの（Ａ）は斜視図、（Ｂ）は正面図、（Ｃ）は側断面図、である。
【図９】第５実施形態に係る配管用キャップの（Ａ）は斜視図、（Ｂ）は正面図、（Ｃ）は側断面図、（Ｄ）は配管を挿入した状態の側断面図である。
【図１０】第４実施形態の変形例に係る配管用キャップの（Ａ）は斜視図、（Ｂ）は正面図、（Ｃ）は側断面図、（（Ｄ）は配管を挿入した状態の側断面図である。
【考案を実施するための形態】
【００２９】
以下、図面を参照して本考案の実施形態について説明する。
【００３０】
［第１実施形態］
図１（Ａ）〜図１（Ｃ）には、本考案の第１実施形態に係る配管用キャップ１０が示されている。配管用キャップ１０は、ガス管や水道管などの種々の配管に適用可能な異物侵入防止用のキャップである。また、配管用キャップ１０が用いられる配管の径も種々のサイズがあり、配管の径に応じて配管用キャップ１０の径も設定されている。例えば、建物内でのガス用配管に用いられるフレキシブル鋼管であれば、８Ａ〜３２Ａ（内径８ｍｍ〜内径３２ｍｍ）があり、そのいずれにも配管用キャップ１０を適用することが可能である。
【００３１】
第１実施形態に係る配管用キャップ１０は、キャップ本体１２を備えている。キャップ本体１２は、円筒状とされ、一端部に円形の挿入口１４が形成されている。図１（Ｃ）に示されるように、挿入口１４には、配管Ｐの開口端部ＰＡが挿入される。図中の符号Ｓは、キャップ本体１２の筒軸方向であり、配管Ｐの挿入方向と一致している。
【００３２】
キャップ本体１２には、挿入口１４と反対側に閉鎖部１５が形成されている。閉鎖部１５は、キャップ本体１２の開口を覆うように配置され、筒内を閉鎖している。
【００３３】
キャップ本体１２の他端部（閉鎖部１５側の端部）には、突出部１６が形成されている。突出部１６は、キャップ本体１２の外周面から径方向外側へ突出している。突出部１６の内部は中空とされ、閉鎖部１５と突出部１６により挿入延長空間１８が形成されている。
【００３４】
図１（Ｂ）に示されるように、突出部１６は、挿入口１４の中心Ｏを通る仮想線Ｍの延長上に延出されるようにキャップ本体１２の外周から突出されている。図１（Ｃ）に示されるように、突出部１６の筒軸方向Ｓの外側は、閉鎖部１５と面一となっている。閉鎖部１５及び突出部１６で形成される面一の外面は、突出部１６の先端に向かうにつれて、筒軸方向Ｓの外側に向かうように傾斜している。キャップ本体１２に挿入される配管Ｐの内径をＲ１、突出部１６の突出長さをＴ１、配管Ｐの筒軸方向Ｓと直交する平面に投影されるキャップ本体１２及び突出部１６の最長直線長さをＬ１とすると、Ｔ１の長さは、最長直線長さＬ１が配管Ｐの内径Ｒ１と内径Ｒ１の１／４との和以上（内径Ｒ１×１．２５以上）となるように設定されている。なお、最長直線長さＬ１は、突出長さＴ１、キャップ本体１２の厚みと配管Ｐの厚みの和Ｓ１×２、及び配管Ｐの内径Ｒ１、の合計となる。
【００３５】
配管用キャップ１０は、ディップ成形により製造することができる。また、材質としては、ポリ塩化ビニル（ＰＶＣ）を好適に用いることができる。配管用キャップ１０と配管Ｐにより、配管セット１０Ｐが構成される。
【００３６】
本実施形態の配管用キャップ１０では、配管用キャップ１０に配管Ｐの開口端部ＰＡを挿入することにより、配管内への外部からの異物の侵入を防止することができる。また、配管用キャップ１０には、最長直線長さＬ１が、配管Ｐの内径Ｒ１と内径Ｒ１の１／４との和以上となるように、突出部１６が形成されているので、内径が配管Ｐよりも大きい配管の内部に、配管用キャップ１０が入り込むことを抑制できる。例えば、内径２０ｍｍ用の配管用キャップは、突出部１６を含んだ最長長さＬ１が２５ｍｍよりも長いので、内径２５ｍｍの配管の内部に入り込むことは防止される。また、内径８ｍｍ用の配管用キャップであれば、突出部１６を含んだ最長長さＬ１が１０ｍｍ以上であり内径２５ｍｍの配管の内部に入ることも可能であるが、単なる円筒状でなく且つ８ｍｍよりも長い最長長さＬ１の部分を有しているので、簡単に入り込むことを抑制することができる。
【００３７】
また、突出部１６は、挿入口１４の中心Ｏを通る仮想線Ｍの延長上に延出されるようにキャップ本体１２の外周から突出されているので、上記の条件を満たす最長直線長さＬ１を短い突出長さＴ１で実現することができる。
【００３８】
また、突出部１６の内部が中空とされて、閉鎖部１５と突出部１６により挿入延長空間１８が形成されているので、配管Ｐの開口端部ＰＡを挿入延長空間１８まで挿入させることができる。これにより、配管Ｐに取り付けられた状態における、配管用キャップ１０の筒軸方向Ｓの突出長さを短くすることができる。
【００３９】
また、閉鎖部１５及び突出部１６で形成される面一の外面は、突出部１６の先端に向かうにつれて、筒軸方向Ｓの外側に向かうように傾斜しているので、配管用キャップ１０をディップ成形で製造する際に、容易に型から抜くことができる。
【００４０】
なお、本実施形態では、突出部１６をキャップ本体の挿入口１４と反対側の端部に形成したが、突出部１６をキャップ本体１２の挿入口１４側の端部に形成してもよい。本実施形態では、突出部１６が、キャップ本体１２の挿入口１４と反対側の端部に形成されているので、キャップ本体１２の挿入口１４側と配管Ｐとの間にテープ等の補助用具を容易に取り付けることができ、配管用キャップ１０の脱落を防止することができる。
【００４１】
また、突出部１６が設けられていることにより、配管用キャップ１０が転がりにくくなる。
【００４２】
［第２実施形態］
次に、第２実施形態について説明する。本実施形態では、第１実施形態と同様の部分については同一の符号を付し、その詳細な説明を省略する。
【００４３】
図２（Ａ）〜図２（Ｃ）には、本考案の第２実施形態に係る配管用キャップ２０が示されている。第２実施形態に係る配管用キャップ２０は、一端部に挿入口１４が形成されたキャップ本体１２を備えている。キャップ本体１２には、挿入口１４と反対側に閉鎖部２２が形成されている。閉鎖部２２は、キャップ本体１２の開口を覆うように配置され、筒内を閉鎖している。
【００４４】
キャップ本体１２の他端部（閉鎖部２２側の端部）には、突出部２４Ａ、２４Ｂが形成されている。突出部２４Ａ、２４Ｂは、各々キャップ本体１２の外周面から径方向外側へ突出している。突出部２４Ａ、２４Ｂの内部は中空とされ、閉鎖部２２と突出部２４Ａ、２４Ｂにより挿入延長空間２６が形成されている。
【００４５】
図２（Ｂ）に示されるように、突出部２４Ａ、２４Ｂは、挿入口１４の中心Ｏを通る仮想線Ｍの延長上に延出されるように、キャップ本体１２の外周の中心Ｏを挟んで対向する２カ所から突出されている。図２（Ｃ）に示されるように、突出部２４Ａ、２４Ｂの筒軸方向Ｓの外側は、閉鎖部１５と面一となっている。閉鎖部１５及び突出部２４Ａ、２４Ｂで形成される面一の外面は、閉鎖部１５の中央がキャップ本体１２側に配置されるようにわずかに傾斜している。キャップ本体１２に挿入される配管Ｐの内径をＲ１、突出部２４Ａ、２４Ｂの突出長さをＴ２Ａ、Ｔ２Ｂ、配管Ｐの筒軸方向Ｓと直交する平面に投影されるキャップ本体１２及び突出部２４Ａ、２４Ｂの最長直線長さをＬ２とすると、Ｔ２ＡとＴ２Ｂの長さの和は、最長直線長さＬ２が配管Ｐの内径Ｒ１と内径Ｒ１の１／４との和以上（内径Ｒ１×１．２５以上）となるように設定されている。なお、最長直線長さＬ２は、突出長さＴ２ＡとＴ２Ｂの和、キャップ本体１２の厚みと配管Ｐの厚みの和Ｓ２×２、及び配管Ｐの内径Ｒ１、の合計となる。
【００４６】
本実施形態の配管用キャップ２０でも、配管用キャップ２０に配管Ｐの開口端部ＰＡを挿入することにより、配管内への外部からの異物の侵入を防止することができる。また、配管用キャップ２０には、最長直線長さＬ２が、配管Ｐの内径Ｒ１と内径Ｒ１の１／４との和以上（内径Ｒ１×１．２５以上）となるように、突出部２４Ａ、２４Ｂが形成されているので、内径が配管Ｐよりも大きい配管の内部に、配管用キャップ１０が入り込むことを抑制できる。
【００４７】
また、突出部２４Ａ、２４Ｂは、挿入口１４の中心Ｏを通る仮想線Ｍの延長上に延出されるように、キャップ本体１２の外周の中心Ｏを挟んで対向する２カ所から突出されているので、上記の条件を満たす最長直線長さＬ２を短い突出長さＴ２Ａ、Ｔ２Ｂで実現することができる。なお、Ｔ２Ａ、Ｔ２Ｂは、同じ長さでもよいし、異なる長さでもよい。
【００４８】
また、突出部２４Ａ、２４Ｂの内部が中空とされて、閉鎖部１５と突出部２４Ａ、２４Ｂにより挿入延長空間２６が形成されているので、配管Ｐの開口端部ＰＡを挿入延長空間２６まで挿入させることができる。これにより、配管Ｐに取り付けられた状態における、配管用キャップ２０の筒軸方向Ｓの突出長さを短くすることができる。
【００４９】
［第３実施形態］
次に、第３実施形態について説明する。本実施形態では、第１、２実施形態と同様の部分については同一の符号を付し、その詳細な説明を省略する。
【００５０】
図３（Ａ）〜図３（Ｃ）には、本考案の第３実施形態に係る配管用キャップ３０が示されている。第３実施形態に係る配管用キャップ３０は、一端部に挿入口１４が形成されたキャップ本体１２を備えている。キャップ本体１２には、挿入口１４と反対側に突出部３４が形成されている。突出部３４は、挿入口１４から離れるにつれて拡径される円錐台状とされている。突出部３４はキャップ本体１２と同軸となるように配置され、筒軸方向Ｓからみて、挿入口１４よりも大径の円形状となっている。
【００５１】
突出部３４は、側壁３４Ａ及び閉鎖部３４Ｂを備えている。側壁３４Ａは、円錐台状の側部を構成する部分であり、閉鎖部３４Ｂは円錐台状の底部を構成する部分である。本実施形態では、突出部３４の一部が閉鎖部３４Ｂを構成し、側壁３４Ａと閉鎖部３４Ｂとでキャップ本体１２の挿入口１４と反対側で配管Ｐの開口端部ＰＡを閉鎖している。突出部３４は、中空とされ、中空部分で挿入延長空間３６が形成されている。
【００５２】
キャップ本体１２に挿入される配管Ｐの内径をＲ１、突出部３４の筒軸方向Ｓからみたキャップ本体１２の外周からの径方向の突出長さをＴ３、配管Ｐの筒軸方向Ｓと直交する平面に投影されるキャップ本体１２及び突出部３４の最長直線長さをＬ３とすると、Ｔ３の長さは、最長直線長さＬ３が配管Ｐの内径Ｒ１と内径Ｒ１の１／４との和以上（内径Ｒ１×１．２５以上）となるように設定されている。なお、最長直線長さＬ３は、突出長さＴ３×２、キャップ本体１２の厚みと配管Ｐの厚みの和Ｓ３×２、及び配管Ｐの内径Ｒ１、の合計となる。
【００５３】
本実施形態の配管用キャップ３０でも、配管用キャップ３０に配管Ｐの開口端部ＰＡを挿入することにより、配管内への外部からの異物の侵入を防止することができる。また、配管用キャップ３０には、最長直線長さＬ３が、配管Ｐの内径Ｒ１と内径Ｒ１の１／４との和以上となるように、突出部３４が形成されているので、内径が配管Ｐよりも大きい配管の内部に、配管用キャップ３０が入り込むことを抑制できる。
【００５４】
また、突出部３４の内部が中空とされて、挿入延長空間３６が形成されているので、配管Ｐの開口端部ＰＡを挿入延長空間３６まで挿入させることができる。これにより、配管Ｐに取り付けられた状態における、配管用キャップ３０の筒軸方向Ｓの突出長さを短くすることができる。
【００５５】
なお、本実施形態では、突出部３４を円錐台状としたが、突出部は、筒軸方向Ｓからみて、挿入口１４よりも大径の円形状となる他の形状とすることもできる。
【００５６】
例えば、図４に示されるように、キャップ本体１２よりも大径の円筒状の突出部４２とした配管用キャップ４０としてもよい。突出部４２は、側壁４２Ａ、底部４２Ｂ、及び環状部４２Ｃを有し、底部４２Ｂが閉鎖部を構成する。また、突出部４２は中空とされ、該中空部分で挿入延長空間４４が形成される。
【００５７】
また、図５に示されるように、キャップ本体１２の挿入口１４と反対側の端部から延出され挿入口１４から離れるにつれて拡径するテーパー状の第１側壁４６Ａと、第１側壁４６Ａから連接され、挿入口１４から離れるにつれて縮径するテーパー状の第２側壁４６Ｂとで構成された突出部４６とした配管用キャップ４８としてもよい。突出部４６は、第２側壁４６Ｂが閉鎖部を構成する。また、突出部４６は中空とされ、該中空部分で挿入延長空間４７が形成される。
【００５８】
また、図６に示されるように、キャップ本体１２の挿入口１４と反対側の端部に球状の突出部５２を設けた配管用キャップ５０としてもよい。この場合、突出部５２が、閉鎖部を兼ねている。また、突出部５２は中空とされ、該中空部分で挿入延長空間５４が形成される。
【００５９】
［第４実施形態］
次に、第４実施形態について説明する。本実施形態では、第１〜３実施形態と同様の部分については同一の符号を付し、その詳細な説明を省略する。
【００６０】
図７（Ａ）〜図７（Ｃ）には、本考案の第４実施形態に係る配管用キャップ６０が示されている。第４実施形態に係る配管用キャップ６０は、一端部に挿入口１４が形成されたキャップ本体１２を備えている。キャップ本体１２には、挿入口１４側に突出部６２が形成されている。突出部６２は、挿入口１４よりも大径の環状とされている。突出部６２はキャップ本体１２と同軸となるように配置され、筒軸方向Ｓからみて、挿入口１４よりも大径の円形状となっている。配管用キャップ６０は、側面視でハット状とされている。
【００６１】
キャップ本体１２の挿入口１４と反対側の端部には、閉鎖部６４が形成されている。閉鎖部６４は円盤状とされ、キャップ本体１２の筒内を閉鎖している。
【００６２】
キャップ本体１２に挿入される配管Ｐの内径をＲ１、突出部６２の筒軸方向Ｓからみたキャップ本体１２の外周からの径方向の突出長さをＴ４、配管Ｐの筒軸方向Ｓと直交する平面に投影されるキャップ本体１２及び突出部６２の最長直線長さをＬ４とすると、Ｔ４の長さは、最長直線長さＬ４が配管Ｐの内径Ｒ１と内径Ｒ１の１／４との和以上（内径Ｒ１×１．２５以上）となるように設定されている。なお、最長直線長さＬ４は、突出長さＴ４×２、キャップ本体１２の厚みと配管Ｐの厚みの和Ｓ４×２、及び配管Ｐの内径Ｒ１、の合計となる。
【００６３】
本実施形態の配管用キャップ６０でも、配管用キャップ６０に配管Ｐの開口端部ＰＡを挿入することにより、配管内への外部からの異物の侵入を防止することができる。また、配管用キャップ６０には、最長直線長さＬ４が、配管Ｐの内径Ｒ１と内径Ｒ１の１／４との和以上となるように、突出部６２が形成されているので、内径が配管Ｐよりも大きい配管の内部に、配管用キャップ６０が入り込むことを抑制できる。
【００６４】
また、突出部６２がキャップ本体１２の挿入口１４側の端部に形成されているので、配管Ｐの開口端部ＰＡを挿入口１４へ挿入する際に、キャップ本体１２が配管Ｐの内側へ入り込み難くなり、配管Ｐの挿入を容易に行うことができる。
【００６５】
なお、本実施形態では、突出部６２を環状としたが、突出部は他の形状とすることもできる。例えば、図８に示されるように、挿入口１４の径方向一方側のみに突出する略半楕円板状の突出部６６として、配管用キャップ６８を構成してもよい。
【００６６】
［第５実施形態］
次に、第５実施形態について説明する。本実施形態では、第１〜４実施形態と同様の部分については同一の符号を付し、その詳細な説明を省略する。
【００６７】
図９（Ａ）〜図９（Ｄ）には、本考案の第５実施形態に係る配管用キャップ７０が示されている。第５実施形態に係る配管用キャップ７０は、一端部に挿入口７４が形成されたキャップ本体７２を備えている。キャップ本体７２は、湾曲された管状とされており、挿入口７４と反対側の端部が閉鎖部７５により閉鎖されている。
【００６８】
キャップ本体７２は、図９（Ｃ）に示されるように、側面視で弧状に湾曲されている。キャップ本体７２に挿入される配管Ｐの内径をＲ１、配管Ｐの挿入口７４への挿入方向Ｓ１から見て、挿入口７４よりも径方向外側へ突出する部分の突出長さをＴ５、配管Ｐの挿入方向Ｓ１と直交する平面に投影されるキャップ本体７２の最長直線長さをＬ５、とすると、Ｔ５は、最長直線長さＬ５が配管Ｐの内径Ｒ１と内径Ｒ１の１／４との和以上（内径Ｒ１×１．２５以上）となるように設定されている。なお、最長直線長さＬ５は、突出長さＴ５、キャップ本体１２の厚みと配管Ｐの厚みの和Ｓ５×２、及び配管Ｐの内径Ｒ１、の合計となる。
【００６９】
配管用キャップ７０は、柔軟な材料で形成されており、図９（Ｄ）に示されるように、配管Ｐの開口端部ＰＡが挿入されると、キャップ本体７２が配管Ｐに沿った直線状に変形する。配管用キャップ７０は、ディップ成形により製造することができ、材料としては、ポリ塩化ビニル（ＰＶＣ）を好適に用いることができる。
【００７０】
本実施形態の配管用キャップ７０でも、配管用キャップ７０に配管Ｐの開口端部ＰＡを挿入することにより、配管内への外部からの異物の侵入を防止することができる。また、配管用キャップ７０には、最長直線長さＬ５が、配管Ｐの内径Ｒ１と内径Ｒ１の１／４との和以上となるように、キャップ本体７２が湾曲されているので、内径が配管Ｐよりも大きい配管の内部に、配管用キャップ７０が入り込むことを抑制できる。
【００７１】
また、キャップ本体７２は、配管Ｐの挿入により、配管Ｐに沿った形状に変形するので、配管Ｐに取り付けられた状態での突出部分を少なくすることができる。
【００７２】
なお、本実施形態では、キャップ本体７２の全体を湾曲させたが、キャップ本体の一部のみを湾曲させた配管用キャップ８０としてもよい。例えば、図１０に示されるように、キャップ本体７６の閉鎖部７５側のみを湾曲させて径方向外側へＴ６突出させて、配管Ｐの挿入方向Ｓ１と直交する平面に投影されるキャップ本体７６の最長直線長さＬ６を、配管Ｐの内径Ｒ１と内径Ｒ１の１／４との和以上としてもよい。
【００７３】
上記第２〜５実施形態の各配管用キャップ２０Ｐ、３０Ｐ、４０Ｐ、４８Ｐ、５０Ｐ、６０Ｐ、６８Ｐ、７０Ｐ、８０Ｐについても、配管Ｐとのセットで配管セットが構成される。
【符号の説明】
【００７４】
１０、２０、３０、４０、４８、５０、６０、６８、７０、８０     配管用キャップ
１０Ｐ、２０Ｐ、３０Ｐ、４０Ｐ、４８Ｐ、５Ｐ０、６０Ｐ、６８Ｐ、７０Ｐ、８０Ｐ  配管セット
１２、７２、７６     キャップ本体
１４、７４    挿入口
１５、２２、３４Ｂ、６４、７５     閉鎖部
１６、２４Ａ、２４Ｂ、３４、４２、４６、５２、６２、６６  突出部
１８、２６、３６、４４、４７、５４ 挿入延長空間
Ｍ     仮想線
Ｐ     配管
ＰＡ   開口端部
Ｓ     筒軸方向（挿入方向）
Ｓ１   挿入方向
【図１】
0003204153.tif 000003
【図２】
0003204153.tif 000004
【図３】
0003204153.tif 000005
【図４】
0003204153.tif 000006
【図５】
0003204153.tif 000007
【図６】
0003204153.tif 000008
【図７】
0003204153.tif 000009
【図８】
0003204153.tif 000010
【図９】
0003204153.tif 000011
【図１０】
0003204153.tif 000012